(57)【要約】【課題】指紋による個人認証だけでなく、ＵＲＬやＥ−メールアドレス等の文字列、さらには、バーコート等も簡単に入力することができる画像読取装置、および、この画像読取装置を内蔵する、携帯電話、ＰＤＡ等の移動情報端末を提供する。【解決手段】携帯電話２０には、画像読取装置が内蔵されていて、被読取物体との接触部８が外面に隆起している。したがって携帯電話２０を手１２で掴んだ状態で原稿の文字列や写真等の画像、名刺に印刷されたＵＲＬやＥ−メールアドレスをスキャンしたり、自分の指をスキャンして文字情報や指紋情報を入力することができる。【選択図】  図２
2004192024.tif 000002
【特許請求の範囲】
【請求項１】
被読取物体の接触部と、この被読取物体に投光する光源と、被読取物体で反射した光を集めるロッドレンズアレイと、このロッドレンズアレイで集められた光を電気信号に変換するイメージセンサーとからなる画像読取装置であって、この画像読取装置は、前記接触部と被読取物体とが相対移動したときに得られる情報の処理機能を有し、処理されたデータを利用した個人認証機能および画像合成機能を備え、且つ前記接触部が外部に隆起していることを特徴とする画像読取機能を有する移動情報端末。
【請求項２】
請求項１に記載の移動情報端末において、前記被読取物体の接触部の形態が、スリット状であることを特徴とする画像読取機能を有する移動情報端末。
【請求項３】
請求項１または２に記載の移動情報端末において、前記被読取物体が、指紋、文字列、バーコードの１種以上であることを特徴とする画像読取機能を有する移動情報端末。
【請求項４】
請求項１〜３のいずれかに記載の移動情報端末が携帯電話又はＰＤＡであることを特徴とする画像読取機能を有する移動情報端末。
【発明の詳細な説明】
【０００１】
【発明の属する技術分野】
本発明は、指紋、文字列、バーコード等の情報を読み取ることができる画像読取装置、および、この画像読取装置を内蔵する移動情報端末に関する。
【０００２】
【従来の技術】
個人認証機能の付与された移動情報端末、特に個人認証機能付きの携帯電話機についてはいくつかの先行技術が知られている（例えば、特許文献１参照。）。
これは、個々人によってみな異なりかつ終生不変である指紋を従来の暗証番号の代りに採用したものである。指紋を個人認証に使用すれば、暗証番号と違って漏洩の心配がないため携帯電話の不正使用を防止することができ、また、暗証番号を忘れて所有者本人が使えなくなる心配もない。
【０００３】
特許文献１の第１図には、指紋読取部が携帯電話機の側面に設けられた例が記載されていて、指紋読取部に置かれた指の指紋情報と携帯電話に記憶された指紋データとを比較し、これが一致したときに携帯電話の使用が可能となる。
【０００４】
その他、特許文献１と同様な指紋認証機能付き携帯電話としては、指紋により本人を確認して開錠等の特殊な操作をさせる携帯電話（特許文献２参照。）、および指紋採取部をシリコンチップ上に集積された容量センサアレイで構成することで消費電力を小さくした携帯電話（特許文献３参照。）がある。また、指紋認証機能でなく、商品の受発注を場所を問わずに行うことができる、バーコードリーダー付き携帯電話も知られている（例えば、特許文献４参照。）。
また、指紋の読取に関しては指紋画像入力用光学装置が知られている（例えば、特許文献５参照。）。
【０００５】
特許文献５のクレーム１および第２図には指紋読取用の透明プラテン、読取部の指紋を照らす光源、指紋からの反射光を集めるＧＲＩＮレンズおよびリニアセンサアレイからなる小型の密着イメージセンサ（ｃｏｎｔａｃｔ  ｉｍａｇｅ  ｓｅｎｓｏｒ「ＣＩＳ」）が記載されていて、クレーム１３にあるように指を透明プラテンの透明隆起部上で動かすことによって指紋画像が形成される。
【０００６】
（特許文献１）
特許第２９７１６２０号（請求項１、第１図）
（特許文献２）
特開２００２−３４０７５号（要約）
（特許文献３）
特開２０００−６９１５４号（要約）
（特許文献４）
特開２０００−２０９１４６号（要約）
（特許文献５）
米国特許第６，２５９，１０８号（クレーム１、同１３、第２図）
【０００７】
【発明が解決しようとする課題】
近時、携帯電話機はインターネットへの接続、Ｅ−メール等の機能が次々に付加されてきているが、ＵＲＬやＥ−メールアドレス等の文字列を簡単に入力する手段はなかった。
したがって、本発明は、指紋による個人認証だけでなく、ＵＲＬやＥ−メールアドレス等の文字列、さらには、バーコート等も簡単に入力することができる画像読取装置、および、この画像読取装置を内蔵する、携帯電話、ＰＤＡ等の移動情報端末を提供することを目的とする。
【０００８】
【課題を解決するための手段】
上記課題を解決するため本発明に係る移動情報端末は、被読取物体の接触部と、この被読取物体に投光する光源と、被読取物体で反射した光を集めるロッドレンズアレイと、ロッドレンズアレイで集められた光を電気信号に変換するイメージセンサーとからなり、前記接触部と被読取物体とが相対移動したときに得られる情報の処理機能を有し、処理されたデータを利用した個人認証機能および画像合成機能を備え且つ前記接触部は外部に隆起した構成とした。
【０００９】
被読取物体の接触部はスリット状とすることが被読取物体をスキャンする上で好ましい。また、被読取物体としては、指紋、文字列、バーコードの１種以上を挙げることができる。
移動情報端末としては携帯電話、ＰＤＡ（ｐｅｒｓｏｎａｌ  ｄｉｇｉｔａｌ  ａｓｓｉｓｔａｎｃｅ。携帯情報端末）等が挙げられる。
【００１０】
【発明の実施の形態】
以下に本発明の実施の形態を添付図面に基づいて説明する。図１は本発明の移動情報端末に組み込まれる画像読取装置の一例を示す断面図である。
画像読取装置１０は被読取物体をスキャンするための透明樹脂からなるプラテン１と、この被読取物体に投光する光源である発光ダイオード２と、被読取物体で反射した光を集めるロッドレンズアレイ３と、ロッドレンズアレイ３で集められた光を電気信号に変換するイメージセンサー４とからなり、これら各部品は印刷回路版（ＰＣＢ）５上に組み立てられている。
【００１１】
前記ロッドレンズアレイ３からイメージセンサー４への光の伝達は、ミラー７および導光体６によって行う。画像読取装置１０が移動情報端末に組み込まれた場合には、プラテン１の隆起した接触部８のみが外部から見えることになり、そこで被読取物体がスキャンされる。
【００１２】
接触部８は横幅が広く縦幅が狭いスリット状であることが好ましい。スリット幅（横幅）は指紋、文字列、画像の読取を行うために適宜決めることができるが、５〜１５ｍｍ程度が好ましい。また、縦幅は接触部８上をスキャンする被読取物に光源からの光が十分当たればよく、１〜５ｍｍ程度が好ましい。従来の指紋認証装置よりも縦幅を狭くすることで被読取物体への光量を確保し、十分な情報を入手することが可能となる。
【００１３】
次に、本発明の移動情報端末について、携帯電話を例に説明する。図２（ａ）は画像読取装置を備えた本発明の携帯電話の一例を示す正面図、（ｂ）は底面図、（ｃ）は底部の側面図である。携帯電話２０には、前記画像読取装置１０（図示せず）が内蔵されていて、被読取物体との接触部８が外面に隆起している。
【００１４】
アンテナ１１が設置された面を上部とすれば、その反対側、すなわち下部に接触部８を設けることが好ましく、携帯電話を手１２で掴んだ状態で原稿の文字列や写真等の画像、名刺に印刷されたＵＲＬやＥ−メールアドレスをスキャンしたり、自分の指をスキャンして文字情報や指紋情報を入力することができる。なお接触部８の位置は特に限定されず、例えばディスプレー１３を見る状態で掴んだ手１２の周辺に指紋入力用の接触部８を設けることもできる。
【００１５】
接触部８は図２（ａ）〜（ｃ）に示したように、携帯電話２０から隆起していて、横幅が広く縦幅の狭い形態とすることが好ましい。このような形態であれば、スキャン対象である印刷物や指が密着しやすくなるため外光による読み取り誤りを防ぐことができる。
【００１６】
入力された各種情報は画像読取装置１０でデジタルデータに変えられ、指紋認証については携帯電話に記憶された指紋データと比較され、文字、画像情報やバーコード情報についてはディスプレー１３上での再現（バーコードについては商品名等に変換しての再現）や、指定したフォルダへの保管、外部への送信を行うことができる。
【００１７】
【発明の効果】
以上説明したように本発明の画像読取装置は、指紋情報、文字情報、画像情報等、様々な情報を読み取って加工することが可能であり、特に、被読取物体の接触部をスリット状にすることによって確実に上記各種情報を読み取ることができる。
【００１８】
また、本発明の移動情報端末は上記画像読取装置を内蔵させ、被読取物体との接触部を隆起させたため、スキャン対象である印刷物や指が密着しやすく、外光による読取誤りを防ぐことができる。
【図面の簡単な説明】
【図１】本発明の画像読取装置の一例を示す断面図。
【図２】（ａ）〜（ｃ）は画像読取装置を備えた本発明の携帯電話の一例を示す概要図。
【符号の説明】
１…プラテン、２…発光ダイオード、３…ロッドレンズアレイ、４…イメージセンサー、５…印刷回路版（ＰＣＢ）、６…導光体、７…ミラー、８…接触部、１０…画像読取装置、１１…アンテナ、１２…手、１３…ディスプレー、２０…携帯電話。
【図１】
2004192024.tif 000003
【図２】
2004192024.tif 000004